(57)【要約】      （修正有）【課題】紙幣と硬貨をまとめて管理収納でき、実用的で、買い物の時に金種の選択に手間取らない財布を提供する。【解決手段】横長の二つ折タイプの紙幣収納を主とする財布の内側の片面に、硬貨の直径幅の約５分の４ほどの高さのシート状のものを三枚横長にして、上下に適度な間隔をもたせながら片面に収まりきる様に配置する。１００円硬貨を除く硬貨それぞれ一枚ずつの５分の３程を収納する大きさのコインポケットを作成し、１円と１０円は各４枚分、５円５０円５００円は各１枚分設ける。他方の片面には、コインポケットを下方に一段だけ１００円硬貨用に４枚分を作成した。【選択図】図２
0003154796.tif 000002
【実用新案登録請求の範囲】
【請求項１】
横長の紙幣収納を主とする財布を２つ折りにした場合その内側の片面には１００円硬貨を除く５００円５０円１０円５円１円の硬貨金種それぞれが必要な枚数だけ１枚ずつ入るコインポケットを設ける。１円と１０円は各４枚分５円５０円５００円は各１枚ずつ設ける。もう一方の片面には同じくコインポケットを１００円硬貨用に４枚分設ける
【請求項２】
硬貨金種５００円１００円５０円１０円５円１円がそれぞれが必要な数だけ１枚ずつ入る小銭ポケットのついたシート状の物。
【考案の詳細な説明】
【技術分野】
【０００１】  本考案は主に紙幣収納を主とする財布に硬貨金種それぞれが必要な数だけ１枚ずつ入るコインポケットを設けたものである。
【技術背景】
【０００２】  現金の出し入れが予想される外出時に於いて現金の持ち出しは主に紙幣を収納するものと硬貨を収納するいわゆる小銭入れは別々に用意された。
【考案の開示】
【考案が解決しようとする課題】
【０００３】  前記のように別々に用意したり又紙幣収納部と少量の硬貨収納部が併設されているものを利用することもある。しかしこの硬貨金種収納部併設の財布は現実的な量の硬貨金種を収納すると意味に於いてはあまり実用的ではなく何度か買い物をくりかえすとよほど上手く管理しないとその用は成さずやはり別に用意されたいわゆる小銭入れに頼らざるをえなくなる。それでもしまいには重量を感じるまでに増えてしまいがちである。
欠点として列記すると
（１）紙幣と硬貨金種の管理収納が別である。
（２）紙幣収納部と少量の硬貨収納部が併設されている財布は現実的な量の硬貨金種を収納するという意味に於いては実用的ではない。
（３）買い物の支払い時に手持ちの小銭で済ませようとした場合その金種の選択に手間取る。
【課題を解決する為の手段】
【０００４】  本考案は、横長の紙幣収納を主とする財布を２つ折りにした場合その内側の片面には１００円硬貨を除く５００円５０円１０円５円１円の硬貨金種それぞれが必要な枚数だけ１枚ずつ入るコインポケットを設ける。１円と１０円は各４枚分５円５０円５００円は各１枚ずつ設ける。もう一方の片面には同じくコインポケットを１００円硬貨用に４枚分設ける事により問題を解決の方向に導く。
【考案の効果】
【０００５】硬貨の必要な金額は９９９円から１円までの金額である。そこで手持ちの硬貨金種として、１円１０円１００円は各４枚ずつ、５円５０円５００円は各１枚ずつ、用意しておけば少しの暗算で手持ちの硬貨金種の総量が増え続ける事を防ぐ事が可能となる。これにより前記［０００３］項に記載した欠点（１）は本考案が紙幣収納を主とする財布を２つ折りにした場合の内側に硬貨金種の収納部を設ける事により解決。欠点（２）は硬貨金種それぞれの必要最低数分の収納が可能である事によりいわゆる小銭入れという意味に於いてかなり実用性を増す。欠点（３）の金種の選択は一目瞭然の為その選択の為の手間は省かれる。
【考案を実施する為の最良の形態】
【０００６】    本考案は、横長の紙幣収納を主とする財布を２つ折りにした場合その内側の片面には１００円硬貨を除く５００円５０円１０円５円１円の硬貨金種それぞれが必要な枚数だけ１枚ずつ入るコインポケットを設ける。１円と１０円は各４枚分５円５０円５００円は各１枚ずつで、合計１１個と予備１個、総数１２個のコインポケットを１段に４個分を備えたものを上下に三段にして設置し、もう一方の片面には同じくコインポケットを１００円硬貨用に４枚分１段を下方に設ける事により問題を解決の方向に導く。
【図面の簡単な説明】
【０００７】
【図１】  二つ折タイプの紙幣収納用の財布の斜視図である。
【図２】  二つ折タイプの紙幣収納用の財布に本考案のコインポケットを設けた場合の斜視図である。
【図３】  本考案に実際にコインを差し込んだ場合の斜視図である。
【符号の説明】
【０００８】イ      二つ折タイプの紙幣収納用の財布本体
ロ      二つ折タイプの紙幣収納用の財布の外側シート部
ハ      二つ折タイプの紙幣収納用の財布の内側シート部
ハ１    二つ折タイプの紙幣収納用の財布をＡで二つ折りした場合の片面
ハ２    二つ折タイプの紙幣収納用の財布をＡで二つ折りした場合の片面
ニ      縦の長さＣ、横の長さＢのシート状のもの
ニ１    ハ１とニの接合部
ニ２    ハ１とニの接合部
ニ３    ハ１とニの接合部
ニ４    ハ１とニの接合部
ホ      縦の長さＤ、横の長さＢのシート状のもの
ホ１    ハ１とホの接合部
ホ２    ハ１とホの接合部
ホ３    ハ１とホの接合部
ホ４    ハ１とホの接合部
ヘ      縦の長さＥ、横の長さＢのシート状のもの
ヘ１    ハ１とヘの接合部
ヘ２    ハ１とヘの接合部
ヘ３    ハ１とヘの接合部
ヘ４    ハ１とヘの接合部
ト      縦の長さＶ、横の長さＷのシート状のもの
ト１    ハ２とトの接合部
ト２    ハ２とトの接合部
ト３    ハ２とトヘの接合部
ト４    ハ２とトの接合部
チ      ハ２とトの接合部
リ      ハ２とトの接合部
ヌ      ハ２とトの接合部
ル      ハ２とトの接合部
ワ      ハ２とトの接合部
Ａ      イの中心線
Ｂ      ニ、ホ、ヘの横の長さ
Ｃ      ニの縦の長さ
Ｄ      ホの縦の長さ
Ｅ      ヘの縦の長さ
Ｆ      ハ１とニの接合部
Ｇ      ハ１とホの接合部
Ｈ      ハ１とヘの接合部
Ｊ      ハ１とニの接合部
Ｋ      ハ１とホの接合部
Ｌ      ハ１とヘの接合部
Ｍ      ハ１とニの接合部
Ｎ      ハ１とホの接合部
Ｏ      ハ１とヘの接合部
Ｐ      ハ１とニの接合部
Ｑ      ハ１とホの接合部
Ｒ      ハ１とヘの接合部
Ｓ      ハ１とニの接合部
Ｔ      ハ１とホの接合部
Ｕ      ハ１とヘの接合部
Ｖ      トの縦の長さ
Ｗ      トの横の長さ
１      コインポケット
２      コインポケット
３      コインポケット
４      コインポケット
５      コインポケット
６      コインポケット
７      コインポケット
８      コインポケット
９      コインポケット
１０    コインポケット
１１    コインポケット
１２    コインポケット
１３    コインポケット
１４    コインポケット
１５    コインポケット
１６    コインポケット
１ａ    １円コイン
２ａ    １円コイン
３ａ    １円コイン
４ａ    １円コイン
５ａ    １０円コイン
６ａ    １０円コイン
７ａ    １０円コイン
８ａ    １０円コイン
９ａ    ５００円コイン
１０ａ  ５０円コイン
１１ａ  ５円
１２ａ  １０円コイン
１３ａ  １００円コイン
１４ａ  １００円コイン
１５ａ  １００円コイン
１６ａ  １００円コイン
【実施例】
【０００９】  以下添付図面に従って一実施例を説明する。図１の様な紙幣収納用の財布を図２のＡで二つ折りにした場合紙幣収納部の内側シート部ハの片面ハ１に、縦の長さＣ、横の長さＢのシート状のものニと縦の長さＤ、横の長さＢのシート状のものホと縦の長さＥ、横の長さＢのシート状のものヘを上下三段にし、それらの間隔をコインの出し入れが楽に出来るくらいに取る。【０００１０】  最上段のニには１円コイン専用コインポケットとして、１円コイン１枚を出し入れするのに小さすぎず又大きすぎて容易に滑り出る事の無い様に１円コインには丁度幅を持たせるのにハ１とニをＦ、Ｊ、Ｍ、Ｐ、Ｓで接合し、又これらのコインポケットとしての底部としてニ１、ニ２、ニ３、ニ４で同じくハ１とニを接合してコインポケット１，２，３，４作成する。【０００１１】  中段のホは１０円コイン専用コインポケットとして、１０円コイン１枚を出し入れするのに小さすぎず又大きすぎて容易に滑り出る事の無い様に１０円コインには丁度幅を持たせるのにハ１とホをＧ、Ｋ、Ｎ、Ｑ、Ｔで接合し、又これらのコインポケットとしての底部としてホ１、ホ２、ホ３、ホ４で同じくハ１とホを接合してコインポケット５，６，７，８作成する。【０００１２】  下段のヘは５００円５０円５円それぞれのコイン専用コインポケットとして、５００円コイン１枚５０円コイン１枚５円コイン１枚それぞれを出し入れするのに小さすぎず又大きすぎて容易に滑り出る事の無い様にそれぞれのコインには丁度幅を持たせるのにハ１とヘをＨ、Ｌ、Ｏ、Ｒ、で接合し、又これらのコインポケットとしての底部として、ヘ１、ヘ２、ヘ３、で同じくハ１とヘを接合してコインポケット９，１０，１１を作成する。又この５００円５０円５円のコインポケットの横並びに予備のコインポケット１２をその幅１０円コインを目安にハ１とヘをＵで接合しその底部として、ヘ４で同じくハ１とヘを接合して作成する。【０００１３】  次にハ２の下方に縦の長さＶ、横の長さＷのシート状のものトに１００円コイン専用ポケットとして１００円コイン１枚を出し入れするのに小さすぎず又大きすぎて容易に滑り出る事の無い様に１００円コインには丁度幅を持たせるのにハ２とトをチ、リ、ヌ、ル、ワで接合し、又これらのコインポケットとしての底部として、ト１、ト２、ト３、ト４で同じくハ２とトを接合してコインポケット１３，１４，１５，１６を作成する。
【図１】
0003154796.tif 000003
【図２】
0003154796.tif 000004
【図３】
0003154796.tif 000005
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
横長の二つ折タイプの紙幣収納を主とする財布を２つ折りにした場合その内側の片面にその財布を成す素材と変わらない素材をその高さを硬貨金種それぞれの直径幅の約５分の４ほどの高さとし、横の長さをこの片面の横の長さとほぼ同じくらいでこの片面に収まりきる長さとしたシート状のものを三枚横長にしてこの片面に上下に適度な間隔をもたせながらこの片面に収まりきる様に配置した後これら三枚のシート状のものそれぞれの左右両端部から硬貨金種それぞれの直径幅程の適度な間隔を残す為の仕切りの部分をこの片面と接合し上下にはこの片面との接合部を下方に硬貨金種それぞれの直径幅の５分の３程を上方から出し入れ収納する為の底部になる様に設けて１００円硬貨を除く５００円５０円１０円５円１円の硬貨金種それぞれ一枚ずつの５分の３程を収納する大きさのコインポケットを形成し、１円と１０円は、各４枚分５円５０円５００円は各１枚ずつ設け、他方の片面には前記片面に作成した横長上下三段のコインポケットをこの片面の下方に一段だけ１００円硬貨用に４枚分を作成した財布。
【請求項２】
紙幣収納部の無いシート状の素材に硬貨金種５００円１００円５０円１０円５円１円がそれぞれ１枚ずつ入る大きさのコインポケットを作成した請求項１記載の財布。
【手続補正４】
【補正対象書類名】明細書
【補正対象項目名】０００４
【補正方法】変更
【補正の内容】
【０００４】  横長の二つ折タイプの紙幣収納を主とする財布を２つ折りにした場合その内側の片面にその財布を成す素材と変わらない素材をその高さを硬貨金種それぞれの直径幅の約５分の４ほどの高さとし、横の長さをこの片面の横の長さとほぼ同じくらいでこの片面に収まりきる長さとしたシート状のものを三枚横長にしてこの片面に上下に適度な間隔をもたせながらこの片面に収まりきる様に配置した後これら三枚のシート状のものそれぞれの左右両端部から硬貨金種それぞれの直径幅程の適度な間隔を残す為の仕切りの部分をこの片面と接合し上下にはこの片面との接合部を下方に硬貨金種それぞれの直径幅の５分の３程を上方から出し入れ収納する為の底部になる様に設けて１００円硬貨を除く５００円５０円１０円５円１円の硬貨金種それぞれ一枚ずつの５分の３程を収納する大きさのコインポケットを形成し、１円と１０円は、各４枚分５円５０円５００円は各１枚ずつ設け、他方の片面には前記片面に作成した横長上下三段のコインポケットをこの片面の下方に一段だけ１００円硬貨用に４枚分を作成した財布にて上記課題を解決する。
【手続補正５】
【補正対象書類名】明細書
【補正対象項目名】０００５
【補正方法】変更
【補正の内容】
【０００５】  硬貨の必要な金額は１円から９９９円までの金額である。そこで手持ちの硬貨金種として、１円１０円１００円は各４枚ずつ、５円５０円５００円は各１枚ずつ、用意しておけば少しの暗算で手持ちの硬貨金種の総量が増え続ける事を防ぐ事が可能となる。これにより前記［０００３］項に記載した欠点（１）は本考案が紙幣収納を主とする財布を２つ折りにした場合の内側に硬貨金種の収納部を設ける事により解決。欠点（２）は硬貨金種それぞれの必要最低数分の収納が可能である事によりいわゆる小銭入れという意味に於いてかなり実用性を増す。欠点（３）の金種の選択は一目瞭然の為その選択の為の手間は省かれる。
【手続補正６】
【補正対象書類名】明細書
【補正対象項目名】０００６
【補正方法】変更
【補正の内容】
【０００６】  横長の二つ折タイプの紙幣収納を主とする財布を２つ折りにした場合その内側の片面にその財布を成す素材と変わらない素材をその高さを硬貨金種それぞれの直径幅の約５分の４ほどの高さとし、横の長さをこの片面の横の長さとほぼ同じくらいでこの片面に収まりきる長さとしたシート状のものを三枚横長にしてこの片面に上下に適度な間隔をもたせながらこの片面に収まりきる様に配置した後これら三枚のシート状のものそれぞれの左右両端部から硬貨金種それぞれの直径幅程の適度な間隔を残す為の仕切りの部分をこの片面と接合し上下にはこの片面との接合部を下方に硬貨金種それぞれの直径幅の５分の３程を上方から出し入れ収納する為の底部になる様に設けて１００円硬貨を除く５００円５０円１０円５円１円の硬貨金種それぞれ一枚ずつの５分の３程を収納する大きさのコインポケットを形成し１円と１０円は、各４枚分５円５０円５００円は各１枚ずつ設け、他方の片面には前記片面に作成した横長上下三段のコインポケットをこの片面の下方に一段だけ１００円硬貨用に４枚分を作成した財布。